(57)【要約】【課題】  リアルタイムで乗り合いタクシーの配車依頼をできる乗合自動車の配車方法及び乗合自動車の配車システムを提供すること。【解決手段】  利用者から少なくとも乗車場所、降車場所及び乗車人数を含む利用申込情報を受信する利用申込受信工程と、既存の運行を抽出する運行抽出工程と、該運行抽出工程で抽出した既存の運行の中から、利用者の乗車場所及び降車場所を運行中の経路に挿入できる既存の運行を逐次挿入法を用いて選択する運行選択工程と、運行選択工程で選択された既存の運行をしている車両を利用者に配車する配車工程とで構成され、運行選択工程では、既存の運行の余裕時間内に新たな利用申込情報の経路を挿入可能なものを選択する。【選択図】  図１
2019020973.tif 000002
【特許請求の範囲】
【請求項１】
利用者から少なくとも乗車場所、降車場所及び乗車人数を含む利用申込情報を受信する利用申込受信工程と、既存の運行を抽出する運行抽出工程と、該運行抽出工程で抽出した既存の運行の中から、利用者の乗車場所及び降車場所を運行中の経路に挿入できる既存の運行を逐次挿入法を用いて選択する運行選択工程と、運行選択工程で選択された既存の運行をしている車両を利用者に配車する配車工程とで構成され、
運行選択工程では、既存の運行の余裕時間内に新たな利用申込情報の経路を挿入可能なものを選択する乗合自動車の配車方法。
【請求項２】
運行選択工程では、運行時間に最も余裕がある既存の運行を優先して選択することを特徴とする請求項１に記載の乗合自動車の配車方法。
【請求項３】
利用者は希望乗車時間及び／又は希望降車時間を入力するとともに、運行選択工程では、利用者が入力した希望乗車時間及び／又は希望降車時間に近い時間に乗車及び／又は降車できる既存の運行を優先して選択することを特徴とする請求項１に記載の乗合自動車の配車方法。
【請求項４】
運行選択工程では、挿入による運行時間全体の伸びが少ない既存の運行を優先して選択することを特徴とする請求項１に記載の乗合自動車の配車方法。
【請求項５】
利用者端末と、該利用者端末と電気通信回線を介して接続可能で、利用者の乗車場所、降車場所及び乗車人数を指定した利用申込情報を受信可能な受信端末と、既存の運行を抽出できると共に、抽出した運行の中から前記受信端末で受信した利用者の乗車場所及び降車場所を経路に挿入できる運行を逐次挿入法を用いて選択する運行選択手段と、該運行選択手段で選択された運行を行う車両に配車指示を行う配車指示手段と、車両に搭載され、配車指示手段からの配車指示を受信できる車両端末とで構成され、
運行選択手段は、既存の運行の余裕時間内に新たな利用申込情報の経路を挿入可能な運行を選択する乗合自動車の配車システム。
【請求項６】
運行選択手段は、運行時間に最も余裕がある既存の運行を優先して選択することを特徴とする請求項５に記載の乗合自動車の配車システム。
【請求項７】
利用者は利用者端末を用いて希望乗車時間及び／又は希望降車時間を入力するとともに、運行選択手段は、利用者が入力した希望乗車時間及び／又は希望降車時間に近い時間に乗車及び／又は降車できる既存の運行を優先して選択することを特徴とする請求項５に記載の乗合自動車の配車システム。
【請求項８】
運行選択手段は、挿入による運行時間全体の伸びが少ない既存の運行を優先して選択することを特徴とする請求項５に記載の乗合自動車の配車システム。
【発明の詳細な説明】
【技術分野】
【０００１】
本発明はいわゆるオンデマンド交通に用いられる乗合自動車の配車方法及び乗合自動車の配車システムに関する。
【背景技術】
【０００２】
従来の乗合自動車の配車システムとしては、例えば、「サーバとして機能する予約システムと、タクシー営業者が所有するタクシーに備えられるタクシー端末と、利用者が前記タクシーの相乗りを予約するに当り希望する希望予約情報、および相乗りをするのに都合の良い他の利用者からの希望予約情報の有無についての連絡をもらうための連絡先情報を前記予約システムへ送信するユーザー端末とを通信ネットワークで接続し、前記予約システムは、前記希望予約情報を受信すると当該ユーザー端末へ利用料金を提示し、前記連絡先情報の受信を該利用料金の了承と見なして、前記相乗りをするのに都合の良い他の利用者からの希望予約情報とのマッチング処理を行い、マッチングが成立した場合には利用者識別情報を生成して、該当する全ユーザー端末にマッチング成立の旨と利用者識別情報を送信し、また配車するタクシーのタクシー端末へは前記利用者識別情報および前記希望予約情報を送信し、前記利用者識別情報および前記希望予約情報を受信したタクシー端末は、該情報を保持しておき、当該タクシーは利用者から提示される利用者識別情報との一致を条件に前記希望予約情報に基づいて運行することを特徴とする乗合タクシー予約・運行システム」（特許文献１）や「少なくとも各客の希望乗車地点および希望降車地点が指定された利用要求を受付ける利用要求受付手段と、前記利用要求を含む客情報を保持する客情報保持手段と、乗合車両の車両情報を含む運用情報を保持する運用情報保持手段と、道路ネットワーク情報を取得して保持する道路ネットワーク情報取得手段と、少なくとも前記客情報保持手段が保持する客情報、前記運用情報保持手段が保持する運用情報、および前記道路ネットワーク情報取得手段が保持する道路ネットワーク情報を所定の評価関数に入力し、該評価関数を最適にするよう前記利用要求に指定された希望乗車地点と希望降車地点を巡回する前記乗合車両の巡回経路および巡回時刻を特定する乗合車両運行スケジュールを作成する乗合車両運行スケジュール作成手段と、作成された前記乗合車両運行スケジュールを出力するスケジュール出力手段と、を具備することを特徴とする乗合車両運行スケジューリングシステム」（特許文献２）等が知られている。
【０００３】
しかしながら、特許文献１及び特許文献２の乗合自動車の配車システムでは、予め指定した時間の予約を受付、マッチングした場合にはタクシーを運行し、各利用者に配車を行っていた。
【０００４】
そのため、乗りたい時にリアルタイムで乗り合いタクシーの配車依頼をできるものではなかった。
【先行技術文献】
【特許文献】
【０００５】
【特許文献１】特開２００３−３０８５９６号公報
【特許文献２】特開２００２−３４２８７３号公報
【発明の概要】
【発明が解決しようとする課題】
【０００６】
本発明は以上のような従来の欠点に鑑み、リアルタイムで乗合自動車の配車依頼をできる乗合自動車の配車方法及び乗合自動車の配車システムを提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の乗合自動車の配車方法は、利用者から少なくとも乗車場所、降車場所及び乗車人数を含む利用申込情報を受信する利用申込受信工程と、既存の運行を抽出する運行抽出工程と、該運行抽出工程で抽出した既存の運行の中から、利用者の乗車場所及び降車場所を運行中の経路に挿入できる既存の運行を逐次挿入法を用いて選択する運行選択工程と、運行選択工程で選択された既存の運行をしている車両を利用者に配車する配車工程とで構成され、運行選択工程では、既存の運行の余裕時間内に新たな利用申込情報の経路を挿入可能なものを選択することを特徴とする。
【０００９】
また、本発明の乗合自動車の配車システムは、利用者端末と、該利用者端末と電気通信回線を介して接続可能で、利用者の乗車場所、降車場所及び乗車人数を指定した利用申込情報を受信可能な受信端末と、既存の運行を抽出できると共に、抽出した運行の中から前記受信端末で受信した利用者の乗車場所及び降車場所を経路に挿入できる運行を逐次挿入法を用いて選択する運行選択手段と、該運行選択手段で選択された運行を行う車両に配車指示を行う配車指示手段と、車両に搭載され、配車指示手段からの配車指示を受信できる車両端末とで構成され、運行選択手段は、既存の運行の余裕時間内に新たな利用申込情報の経路を挿入可能な運行を選択することを特徴とする。
【発明の効果】
【００１０】
以上の説明から明らかなように、本発明にあっては次に列挙する効果が得られる。
（１）請求項１及び請求項５に記載の各発明においては、逐次挿入法を用いて既存の運行の余裕時間内に新たな利用申込情報の経路を挿入可能な運行を選択するので、確実に運行全体の到着時間等を維持しながら、新たな経路を挿入することができる。
（２）請求項２及び請求項６に記載の各発明においては、前記（１）と同様な効果が得られるとともに、最も余裕時間のある既存の運行を優先して選択することにより、確実に運行の終了時刻を遵守して新規な経路を挿入することができる。
（３）請求項３及び請求項７に記載の各発明においては、前記（１）と同様な効果が得られるとともに、利用者の利便性を更に向上させることができる。
（４）請求項４及び請求項８に記載の各発明においては、前記（１）と同様な効果が得られるとともに、効率的な運行をすることができる。
【図面の簡単な説明】
【００１１】
図１乃至図３は本発明の第１の実施形態を示す説明図である。
図４及び図５は本発明の第２の実施形態示す説明図である。
図６及び図７は本発明の第２の実施形態示す説明図である。
【図１】第１の実施形態の乗合自動車の配車方法の工程図。
【図２】第１の実施形態の乗合自動車の配車システムのブロック図。
【図３】フローチャート。
【図４】第２の実施形態の乗合自動車の配車方法の工程図。
【図５】フローチャート。
【図６】第３の実施形態の乗合自動車の配車方法の工程図。
【図７】フローチャート。
【発明を実施するための形態】
【００１２】
以下、図面に示す本発明を実施するための形態により、本発明を詳細に説明する。
図１乃至図３に示す本発明を実施するための第１の形態において、１は乗合自動車の配車方法である。
【００１３】
この乗合自動車の配車方法１は、図１に示すように、利用者から少なくとも乗車場所、降車場所及び乗車人数を含む利用申込情報を受信する利用申込受信工程２と、既存の運行を抽出する運行抽出工程３と、該運行抽出工程３で抽出した運行の中から、利用者の乗車場所及び降車場所を運行中の経路に挿入できる運行を逐次挿入法を用いて選択する運行選択工程４と、運行選択工程４で選択された運行を実施する車両５を利用者に配車する配車工程６とで構成されている。
【００１４】
この乗合自動車の配車方法１では、乗合自動車の配車システム７を用いて行われる。この乗合自動車の配車システム７は、図２に示すように、利用申込情報を送信可能な利用者端末８と、該利用者端末８と電気通信回線を介して接続可能で、利用者の少なくとも乗車場所、降車場所及び乗車人数を指定した利用申込情報を受信可能な受信端末９と、運行を抽出できると共に、抽出した運行の中から前記受信端末９で受信した利用者の乗車場所及び降車場所を経路に挿入できる運行を逐次挿入法を用いて選択する運行選択手段１０と、該運行選択手段１０で選択された運行を行う車両５に配車指示を行う配車指示手段１１と、車両５に搭載され、配車指示手段１１からの配車指示を受信できる車両端末１２とで構成されている。
【００１５】
本実施形態では、運行選択手段１０、配車指示手段１１は受信端末９に備えられたプログラム等を想定しており、既存の運行（現在運行中の運行）やその経路は受信端末９の記憶装置１３に記憶されている。
【００１６】
なお、運行選択手段１０、配車指示手段１１は受信端末９とは別個の端末等に備えるものや、独立した装置で、有線又は無線で接続されるものでもよく、運行計画は受信端末９以外の端末に記憶されていてもよいし、インターネット上のサーバー等に記憶されていてもよい。
【００１７】
乗合自動車の配車方法１について、図３に示すフローチャートに沿って説明する。
まず、利用者が利用者端末８から乗車場所、降車場所、乗車時間、降車時間、乗車人数等を指定した利用申込情報を入力して、インターネット回線を介して送信する。利用者から利用申込情報が送信されると、受信端末９はその利用申込情報を受信する利用申込受信工程２が行われる。
【００１８】
なお、図示等しないが、利用者の個人情報等は、利用者データベース等に保存されており、この利用者データベースは受信端末９等の記憶装置に記憶されている。
【００１９】
利用者が入力した乗降時間や降車時間は、あくまでも乗車希望時間、降車希望時間であり、後述する運行選択工程４で選択された運行によっては、多少乗降時間が前後する。
また、この乗降時間は、いずれか一方のみを指定することもでき、いずれも指定しないことも可能である。
【００２０】
運行抽出工程３では、受信端末９と接続された運行選択手段１０により、利用申込内容、すなわち、乗降場所や乗降時間等を取得するとともに、既存の運行を抽出する。
既存の運行は、記憶装置１３に記憶されており、運行選択手段１０は、この記憶装置１３にアクセスし、既存の運行を抽出する。
【００２１】
次に、運行選択手段１０は、既存の運行を抽出した後、この既存の運行の経路に新たな乗降場所（経路）が挿入可能かどうか逐次挿入法を用いて判断する運行選択工程４を行う。
【００２２】
この既存の運行においては、既に予約が入っているなどで運行に制約が掛かっており、休憩時間などの指定もあり、新たな経路を挿入しても運行可能の車両かどうか判断する。運行選択手段１０は、逐次挿入法を用いて既存の運行の余裕時間内に新たな利用申込情報の経路を挿入可能なものを選択する。
【００２３】
例えば、既存の運行の経路（地点Ａ−地点Ｂ）の間に、新たに利用者から利用申込があった経路（乗車地点Ｃ−降車地点Ｂ）を挿入する場合には、以下のような基準で新たな経路が挿入可能であるか否かを判定する。
ＲＴＡ−Ｂ：Ａ−Ｂの運行直行時間
ＳＬＡ−Ｂ：Ａ−Ｂの余裕時間
ＲＴＡ−Ｃ：Ａ−Ｃの運行直行時間
ＲＴＣ−Ｂ：Ｃ−Ｂの運行直行時間
ＲＴＡ−Ｂ＋ＳＬＡ−Ｂ≧  ＲＴＡ−Ｃ＋  ＲＴＣ−Ｂであれば、挿入可と判定する
ＲＴＡ−Ｂ＋ＳＬＡ−Ｂ＜  ＲＴＡ−Ｃ＋  ＲＴＣ−Ｂであれば、挿入不可と判定する
ところで、Ａ−Ｂの運行直行時間とは、地点Ａから地点Ｂへ直行した場合に必要となる時間である。
【００２４】
Ａ−Ｂの余裕時間とは、既存の運行が有する時間的な余裕であり、例えばＡ−Ｂの運行直行時間が３０分であり、既存の運行ではＡ−Ｂ間の運行時間として４５分と設定されていた場合、Ａ−Ｂの余裕時間は１５分となる。
Ａ−Ｃの運行直行時間とは地点Ａから地点Ｃへ直行した場合に必要となる時間である。
Ｃ−Ｂの運行直行時間とは地点Ｃから地点Ｂへ直行した場合に必要となる時間である。
運行選択手段１０は、このような判定を行い、新たな利用申込内容の経路をリアルタイムで挿入できる既存の運行を選択する。
【００２５】
このとき、本実施形態では、新規利用申込の内容が経路に挿入可能と判断された既存の運行の中で、挿入により消費された余裕時間の量により優先度を判断する。具体的には、余裕時間の消費量の少ないほど優先度が高いと判断し、優先度の高い既存の運行を選択する。最も余裕時間のある既存の運行を優先して選択することにより、確実に運行の終了時刻を遵守して新規な経路を挿入することができる。
【００２６】
利用者が乗降時間のいずれも指定しない場合には、経路が挿入可能な車両のうち、例えば最も早く乗車できる車両を優先して選択する等の予め設定された条件にしたがって既存の運行が選択される。
【００２７】
なお、既存の運行がない場合や、新たな利用申込の経路を挿入可能な既存の運行がない場合には、フローチャートにあるように新たな車両を運行し、利用者に配車することもできる。
【００２８】
運行選択手段１０が利用者の利用申込情報の経路が挿入可能な既存の運行を選択したら、配車指示手段１１は、選択された運行を行っている車両５の車両端末１２に配車指示をインターネット回線を介して送信するとともに、利用者の利用申込内容にそって車両を配車する配車工程６を行う。
【００２９】
［発明を実施するための異なる形態］
次に、図４乃至図７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３０】
図４及び図５に示す本発明を実施するための第２の形態において、前記本発明を実施するための第１の形態と主に異なる点は、挿入可能と判断された既存の運行の中で、利用者が入力した乗降時間との差が少ないほど優先度が高いと判断し、優先度の高い既存の運行を選択する運行選択工程４Ａを行う乗合自動車の配車方法１Ａにするとともに、このような選択を行う運行選択手段１０を用いた乗合自動車の配車システム７にしても、前記本発明を実施するための第１の形態と同様の作用効果を得ることができる。
【００３１】
なお、降車時間を指定している場合、降車時間よりも早く到着する運行の中で、最も希望降車時間と近いものを選択し、希望降車時間よりも遅く到着する運行は選択しないことが望ましい。
【００３２】
図６及び図７に示す本発明を実施するための第３の形態において、前記本発明を実施するための第１の形態と主に異なる点は、挿入可能と判断された既存の運行の中で、運行全体の時間の伸びが少ないほど優先度が高いと判断し、優先度の高い既存の運行を選択する運行選択工程４Ｂを行う乗合自動車の配車方法１Ｂにするとともに、このような選択を行う運行選択手段１０を用いた乗合自動車の配車システム７にしても、前記本発明を実施するための第１の形態と同様の作用効果を得ることができる。
【００３３】
すなわち、新たな利用申込情報の経路を挿入することにより、運行に要する時間が３０分から４５分に伸びる運行Ａと、運行に要する時間が４０分から４５分に伸びる運行Ｂがあった場合、新たな利用申込情報の経路を挿入した後の運行全体として要する時間は同じであるが、運行Ｂの方が時間の伸びが少ないため、運行Ｂを優先して選択する。
このような運行選択工程４Ｂを行うことで、運行の効率化を図ることができる。
【産業上の利用可能性】
【００３４】
本発明は乗合自動車を配車する産業で利用される。
【符号の説明】
【００３５】
１、１Ａ、１Ｂ：乗合自動車の配車方法、
２：利用申込受信工程、          ３：運行抽出工程、
４、４Ａ、４Ｂ：運行選択工程、  ５：車両、
６：配車工程、                  ７：乗合自動車の配車システム、
８：利用者端末、                ９：受信端末、
１０：運行選択手段、            １１：配車指示手段、
１２：車両端末、                １３：記憶装置。
【図１】
2019020973.tif 000003
【図２】
2019020973.tif 000004
【図３】
2019020973.tif 000005
【図４】
2019020973.tif 000006
【図５】
2019020973.tif 000007
【図６】
2019020973.tif 000008
【図７】
2019020973.tif 000009